(57)【特許請求の範囲】
【請求項１】
トップシートを通った体液を吸収要素に吸収保持し裏面側への漏れを防止する吸収性物品の製造に際し、エンボスを付与するエンボスロールであって、
前記ロール表面から突出するエンボス用凸部と、前記ロール表面から突出及び後退可能な少なくとも一つの出没子と、前記出没子を前記ロール表面から突出させた状態又は後退させた状態にする手段とを有し、
前記吸収性物品の製造に際し、前記出没子を前記ロール表面から突出させて、前記エンボス用凸部及び前記出没子の両方によりエンボスを付与する突出状態か、又は、前記出没子を前記ロール表面から後退させて前記エンボス用凸部のみによりエンボスを付与する突出状態かを、選択可能な構成とした、
ことを特徴とする吸収性物品製造用エンボス付与ロール。
【請求項２】
前記製造の対象となる吸収性物品が、本体の両側部にウイングを有するウイング付き生理用ナプキン、及びウイング無し生理用ナプキンであって、
前記エンボス用凸部が本体におけるエンボス付与用であり、前記出没子がウイングにおけるエンボス付与用であり、
前記出没子を前記ロール表面から突出させて、前記エンボス用凸部により前記本体にエンボスを付与するとともに前記出没子により前記ウイングにエンボスを付与する、前記ウイング付き生理用ナプキン用の突出状態か、又は、前記出没子を前記ロール表面から後退させて、前記エンボス用凸部による前記本体へのエンボス付与のみを行う、前記ウイング無し生理用ナプキン用の突出状態かを、選択可能な構成とした、
請求項１記載の吸収性物品製造用エンボス付与ロール。
【請求項３】
トップシートを通った体液を吸収要素に吸収保持し裏面側への漏れを防止する吸収性物品の製造に際し、エンボスを付与するエンボスロールであって、
前記ロール表面から突出及び後退可能な複数の出没子と、これらの出没子を独立して前記ロール表面から突出させた状態又は後退させた状態にする手段とを有し、
前記吸収性物品の製造に際し、突出する出没子の相違によりエンボス付与部位が相違する複数の突出状態を選択可能な構成とした、
ことを特徴とする吸収性物品製造用エンボス付与ロール。
【請求項４】
前記出没子は、目的のラインに沿って分割して設けられている請求項３記載の吸収性物品製造用エンボス付与ロール。
【請求項５】
同一のラインで複数の品種の製品を製造するにあたり、請求項１〜４のいずれか１項に記載のエンボス付与ロールを共用し、生産品種に応じて前記突出状態の選択を行う、ことを特徴とする吸収性物品の製造方法。
【発明の詳細な説明】
【技術分野】
【０００１】
本発明は、トップシートを通った体液を吸収要素に吸収保持し裏面側への漏れを防止する吸収性物品の製造に際し、エンボスを付与するエンボス付与ロール、及び吸収性物品の製造方法に関する。
【背景技術】
【０００２】
生理用ナプキン、紙おむつ、失禁パッドなどの吸収性物品においては、体液の拡散溝の形成、部材またはその部分固定、吸収性などの改善、形状保持、折れ線形成などのために、エンボス付与を行うことが多い。
この種のエンボス付与ロールは、特許文献１に開示のように、ロール表面部に目的形状の突状部を一体的に形成するものである。
一方、近年の消費者の好みや要求の多様化に伴って、多品種の製品を提供することが要請されている。その結果、製造メーカーとしては、多種のエンボスロールを用意し、その都度、生産ラインにおいて、ロール替えを行いながら、製造することを余儀なくされている。
しかし、多種のエンボスロールを用意すること、その都度ロール替えが必要になることは、生産コストの高騰を招く。
【特許文献１】特開平１１‐３３０５４号公報
【発明の開示】
【発明が解決しようとする課題】
【０００３】
したがって、本発明の主たる課題は、エンボス付与ロールの共用化を図ることで、生産コストを低減できることが可能なエンボス付与ロールを提供することにある。
【課題を解決するための手段】
【０００４】
上記課題を解決した本発明は以下のとおりである。
＜請求項１記載の発明＞
トップシートを通った体液を吸収要素に吸収保持し裏面側への漏れを防止する吸収性物品の製造に際し、エンボスを付与するエンボスロールであって、
前記ロール表面から突出するエンボス用凸部と、前記ロール表面から突出及び後退可能な少なくとも一つの出没子と、前記出没子を前記ロール表面から突出させた状態又は後退させた状態にする手段とを有し、
前記吸収性物品の製造に際し、前記出没子を前記ロール表面から突出させて、前記エンボス用凸部及び前記出没子の両方によりエンボスを付与する突出状態か、又は、前記出没子を前記ロール表面から後退させて前記エンボス用凸部のみによりエンボスを付与する突出状態かを、選択可能な構成とした、
ことを特徴とする吸収性物品製造用エンボス付与ロール。
【０００５】
（作用効果）
本発明では、従来のように、ロール表面部に目的形状の突状部を一体的に形成するものではなく、前記ロール表面から突出するエンボス用凸部に対して、別途、ロール表面から突出及び後退可能な出没子を、前記ロール表面から突出及び後退させるようにして設けた。したがって、生産する製品に応じて出没子の突出又は後退を行わせることで、付加的に必要な部位に前記出没子によってエンボスを付与できる。その結果、当該エンボス付与ロールは、複数の製品に対して共用化できるので、生産コストの低減を（すなわち、ロール本数の低減及びロール替え頻度の減少を）達成できる。
【０００６】
＜請求項２項記載の発明＞
前記製造の対象となる吸収性物品が、本体の両側部にウイングを有するウイング付き生理用ナプキン、及びウイング無し生理用ナプキンであって、
前記エンボス用凸部が本体におけるエンボス付与用であり、前記出没子がウイングにおけるエンボス付与用であり、
前記出没子を前記ロール表面から突出させて、前記エンボス用凸部により前記本体にエンボスを付与するとともに前記出没子により前記ウイングにエンボスを付与する、前記ウイング付き生理用ナプキン用の突出状態か、又は、前記出没子を前記ロール表面から後退させて、前記エンボス用凸部による前記本体へのエンボス付与のみを行う、前記ウイング無し生理用ナプキン用の突出状態かを、選択可能な構成とした、
請求項１記載の吸収性物品製造用エンボス付与ロール。
【０００７】
（作用効果）
生理用ナプキンにおいては、本体がほぼ同じ方向形状でありながら、ウイング付きのものと、ウイング無しのものがある。ウイングに対するエンボス付与は、主にウイング部のいわゆる腰折れ（折れ曲がり）を改善し、平坦性を保つための形状保持機能を付与するために行う場合や、伝播した体液の製品縁からの漏れ防止のために体液阻止用などに行う。
従来は、かかる場合においても、専用のエンボス付与ロールが必要であったが、本発明に従って、予め、ウイング部へのエンボス付与用部分に対して出没子を設けておけば、ウイング付きのものと、ウイング無しのものとに共用できる。
【０００８】
＜請求項３記載の発明＞
トップシートを通った体液を吸収要素に吸収保持し裏面側への漏れを防止する吸収性物品の製造に際し、エンボスを付与するエンボスロールであって、
前記ロール表面から突出及び後退可能な複数の出没子と、これらの出没子を独立して前記ロール表面から突出させた状態又は後退させた状態にする手段とを有し、
前記吸収性物品の製造に際し、突出する出没子の相違によりエンボス付与部位が相違する複数の突出状態を選択可能な構成とした、
ことを特徴とする吸収性物品製造用エンボス付与ロール。
【０００９】
（作用効果）
本発明では、従来のように、ロール表面部に目的形状の突状部を一体的に形成するものではなく、ロール表面から突出及び後退可能な複数の出没子を、独立して前記ロール表面から突出及び後退させるようにした。したがって、生産する製品に応じて出没子の突出又は後退を行わせることで、その生産に必要な部位にのみエンボスを付与できる。その結果、当該エンボス付与ロールは、複数の製品に対して共用化できるので、生産コストの低減を（すなわち、ロール本数の低減及びロール替え頻度の減少を）達成できる。
【００１０】
＜参考発明＞
前記吸収性物品が本体の両側部にウイングを有する生理用ナプキンであって、第１の出没子が本体におけるエンボス付与用であり、第２の出没子がウイングにおけるエンボス付与用である請求項３記載のエンボス付与ロール。
【００１１】
（作用効果）
生理用ナプキンにおいては、本体がほぼ同じ方向形状でありながら、ウイング付きのものと、ウイング無しのものがある。ウイングに対するエンボス付与は、主にウイング部のいわゆる腰折れ（折れ曲がり）を改善し、平坦性を保つための形状保持機能を付与するために行う場合や、伝播した体液の製品縁からの漏れ防止のために体液阻止用などに行う。
従来は、かかる場合においても、専用のエンボス付与ロールが必要であったが、本発明に従って、予め、ウイング部への付与用の出没子をも設けておけば、ウイング付きのものと、ウイング無しのものとに共用できる。
【００１２】
＜請求項４項記載の発明＞
前記出没子は、目的のラインに沿って分割して設けられている請求項３記載の吸収性物品製造用エンボス付与ロール。
【００１３】
（作用効果）
たとえば、生理用ナプキンにおいて、中高部の周囲に、長手方向及び幅方向にエンボス付与を行い、これらを実質的に連続させて、中高部を取り囲むように曲線ラインのエンボスを形成することがある。この場合において、長手方向及び幅方向の両者のエンボスが必要になることもあるし、長手方向のみのエンボスで足りる場合もある。このような場合、長手方向用の出没子と幅方向用の出没子との両者を設けておけば、共用化が可能である。
また、たとえば、長手方向について、長い範囲のエンボスと短い範囲のエンボスとが必要な場合、その長手方向について、分割して出没子を設けることで、共用化が可能である。
＜請求項５項記載の発明＞
同一のラインで複数の品種の製品を製造するにあたり、請求項１〜４のいずれか１項に記載のエンボス付与ロールを共用し、生産品種に応じて前記突出状態の選択を行う、ことを特徴とする吸収性物品の製造方法。
【発明の効果】
【００１４】
本発明によれば、エンボス付与ロールの共用化を図ることで、生産コストを低減できる。
【発明を実施するための最良の形態】
【００１５】
以下、本発明の実施の形態を、図面を参照しながら以下に詳述する。
（生理用ナプキンの構造例）
まず、本発明に係るエンボス付与ロールを説明する前に、本発明の本質の理解を深めるために、生理用ナプキンの構造例を示す。
【００１６】
図示の生理用ナプキンは、実質的に前後対称形状の昼用のものであり、図５及び図６には側部に張り出すウイングを有するいわゆるウイングタイプのものの例を、図７にはウイングを有さない非ウイングタイプの生理用ナプキンのものの例を図示した、臀部側に延在し、その臀部側が大きく張り出した形状をした夜用のものは、以下の構造説明により推測できるので、改めた説明を省略する。
【００１７】
図５に示すウイングタイプ生理用ナプキン１は、ポリエチレンシート、ポリプロピレンシートなどからなる不透液性裏面シート２と、経血やおりものなどを速やかに透過させる透液性トップシート３とを有する。これら両シート２，３間には、綿状パルプまたは合成パルプなどからなる吸収コア４と、この吸収コア４の形状保持および拡散性向上のために前記吸収コア４を囲繞するクレープ紙５とを含む吸収体が介在されている。この吸収体は、後述の吸収促進シートとともに吸収要素を構成する。
【００１８】
表面両側部にそれぞれ長手方向に沿って形成されたサイド不織布６，６が設けられている。なお、クレープ紙５は、吸収コア４の長手方向両端まで達しているものである。
【００１９】
前記吸収コア４の周囲において、その上下端縁部では、前記不透液性裏面シート２と透液性トップシート３との外縁部がホットメルトなどの接着剤やヒートシール等の接着手段によって接合され、またその両側縁部では吸収コア４よりも側方に延出している前記不透液性裏面シート２と前記サイド不織布６とがホットメルトなどの接着剤やヒートシール等の接着手段によって接合されている。
【００２０】
以下、さらに前記生理用ナプキン１の構造や素材などについてさらに詳述すると、前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した不織布シート（この場合には防水フィルムと不織布とで不透液性裏面シートを構成する。）などを用いることができる。近年はムレ防止の観点から透湿性を有するものが用いられる傾向にある。この遮水・透湿性シート材としては、ポリエチレンやポリプロピレン等のオレフィン系樹脂中に無機充填剤を混練してシートを成形した後、一軸または二軸方向に延伸することにより得られる微多孔性シートがある。
【００２１】
次いで、前記透液性トップシート３としては、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。図示の実施の形態では、前記透液性トップシート３としては、表面側の多孔性プラスチックシートが使用されている。
【００２２】
また、透液性トップシート３と吸収コア４（具体的にはクレープ紙５）との間に厚手の親水性不織布からなる吸収促進シート７が配設されている。吸収促進シート７は長手方向中央部に位置し、前方側には長く延在し、前寄りに偏位している。吸収促進シート７を設けることで、経血やおりもの等（以下、まとめて体液という。）が速やかに吸収されることができるようになるとともに、肌と接触する表面はドライタッチ性に優れたものとなる。
【００２３】
なお、この場合には本例のように、吸収コア４を囲繞するクレープ紙５を設け、結果的に透液性トップシート３と吸収コア４との間にクレープ紙５が介在するようにすれば、吸収性に優れる前記クレープ紙５によって体液を速やかに拡散させるとともに、これら経血等の逆戻りを防止するようになる。クレープ紙５は、体液を速やかに拡散させる機能を有するので、吸収促進シート７を設けない例においては、本発明の吸収促進シートを構成する。
【００２４】
一方、前記透液性トップシート３の上面には、排血対応部位を跨ぐ両側部にそれぞれ、略長手方向に沿うサイド条溝８，８が形成されているとともに、長手方向中間部の前後において、それぞれ幅方向に延びる弧状のエンボスによる第１の条溝９Ｆ，および第２の条溝９Ｂを有し、これらの条溝９Ｆ，９Ｂ間が、排血口当接部とされている。条溝９Ｆ，９Ｂより前後方向外方であって、製品の前後端近くにそれぞれ幅方向に延びる弧状のエンボスによるエンド条溝１０Ｆ，１０Ｂが形成されている。
【００２５】
さらに、前方において、第１の条溝９Ｆとエンド条溝１０Ｆとの間に、幅方向に延びる弧状のエンボスによる前漏れ防止条溝１１が形成されている。
【００２６】
これらの条溝８，９Ｆ，９Ｂ，１０Ｆ，１０Ｂ，１１は、排血口当接部からの経血が外方に拡散するのを防止するためのものであり、少なくとも吸収コア４が圧縮される形態で圧搾されたものである限り、エンボスの形態に限定はないが、条溝の長さ方向に高圧搾部（高密度部）と低圧搾部（低密度部）とが交互に現れる形態とすることができる。実施の形態においても同形態を採っており、図５の黒塗り部は高圧搾部（高密度部）を示し、これらの間が低圧搾部（低密度部）となっているものである。
【００２７】
吸収コア４は、前後方向及び幅方向中間が中高に形成され、その中高部４Ａは、前後方向及び幅方向に関し中央に位置している。実施の形態では、中高部４Ａは、条溝９Ｆ，９Ｂをやや越えた位置にまで延在する構成とされている。
【００２８】
吸収促進シート７は、条溝９Ｆを越えて前漏れ防止条溝１１近くまで延在している。
【００２９】
前記不透液性裏面シート２と透液性トップシート３との間に介在される吸収コア４は、たとえばフラッフ状パルプと吸水ポリマーとにより構成されている。前記吸水性ポリマーは吸収コアを構成するパルプ中に例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３０】
他方で、本生理用ナプキン１の展開状態において、表面がわ両側部にはそれぞれ、長手方向に沿って、かつ吸収性物品のほぼ全長に亘ってサイド不織布６，６が設けられているとともに、このサイド不織布６，６の一部が側方に延在されるとともに、前記不透液性裏面シート２の一部が側方に延在され、これら側方に延在されたサイド不織布６部分と不透液性裏面シート２部分とをホットメルト接着剤等により接合してウイング状張り出し部Ｗ、Ｗが形成されている。ウイング状張り出し部Ｗ、Ｗは製品提供段階では裏面側に折り畳まれている。
【００３１】
前記サイド不織布６としては、重要視する機能に応じてそれぞれ撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用い、前記ウイング状張り出し部Ｗ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにする。サイド不織布６として親水処理不織布を用いるのが望ましい。かかるサイド不織布６としては、天然繊維、合成繊維または再生繊維などを素材として、適宜の加工法によって形成されたものを使用することができるが、好ましくは目付け量を抑えて通気性を持たせた不織布を用いるのがよい。
【００３２】
サイド不織布６，６の内側部分は、吸収コア４の側縁より内方に延在し、二重シート状態で透液性トップシート３上にホットメルト接着剤に接着され、その接着側縁より外方に折り返され、その折り返し部分に糸ゴムなどの弾性伸縮部材６Ａ，６Ａが伸張状態でホットメルト接着剤により接着されている。サイド不織布６の前記折り返し部分の長手方向前後端部は、重ね合わせ状態で相互がホットメルト接着剤に接着されているが、中間部分は接着されていない。したがって、使用状態においては、図６の左方に図示するように、弾性伸縮部材６Ａ，６Ａの収縮力により折り返し部分が起立し、経血の横漏れ防止バリヤーとして機能する。
【００３３】
実施の形態においては、条溝９Ｆより長手方向外方に、すなわち経血の前方への移行を防止する前漏れ防止手段として、前漏れ防止条溝１１が設けられている。前漏れ防止条溝１１は、その条溝の長さ方向（幅方向）に高圧搾部（高密度部）と低圧搾部（低密度部）とが交互に現れる条溝である。また、透液性トップシート３側から、吸収促進シート７、クレープ紙５及び吸収コア４に凹変形を加えたものであり、透液性トップシート３、吸収促進シート７及びクレープ紙５には凹部が形成されているので、前漏れ防止条溝１１を越えて前方に拡散流れが生じようとする場合において、特に透液性トップシート３の前漏れ防止条溝１１部分において幅方向の流れとなり、それより前方の流れが抑制されるとともに、吸収コア４の凹部は高密度であるので、吸収コア４を通して前方への流れは堰き止められる。かくして、前漏れが防止される。
【００３４】
図示を省略するが、前漏れ防止条溝１１と同様な、後漏れ防止条溝を条溝９Ｂより後方に設けてもよい。
【００３５】
エンド条溝１０Ｆ，１０Ｂは、前漏れ防止手段および後ろ漏れ防止手段として機能する。
【００３６】
前漏れ防止条溝１１は、各層を重ねた状態で使用面側から加熱しながらエンボスすることにより、いわゆる熱融着エンボスとして形成できる。同様に、条溝としてではなく、適宜の配置で、熱融着エンボスを形成することができる。
【００３７】
他方、ウイング状張り出し部Ｗ、Ｗには、平坦性を保つための形状保持機能を付与用のたとえば斜格子状のエンボス１２が形成されている。
【００３８】
（生理用ナプキンの製造におけるエンボス共用化の要請）
以上の構造のウイングタイプの生理用ナプキン１と、図７に示すウイングを有さない非ウイングタイプの生理用ナプキン１Ａとの相違が、実質的にウイング状張り出し部Ｗ、Ｗの有無に存する場合、以下に述べるように、本発明のエンボス付与ロールの使用が好適である。
【００３９】
また、サイド条溝８，８、第１の条溝９Ｆ，第２の条溝９Ｂ、エンド条溝１０Ｆ，１０Ｂを適宜選択する場合においても、本発明のエンボス付与ロールの使用が好適である。
【００４０】
（第１の実施の形態）
図１は第１の実施の形態に係るエンボス付与ロール２０Ａを示し、ジャーナル部２１，２１に対して本体部２２が連結手段２３によって一体化されている。
【００４１】
中央部には本体部２２と一体的にエンボス用凸部２６、２６が形成されており、これに対して、ロール表面から突出及び後退可能な出没子２４が設けられている。この出没子２４に対して、上部に図示したように、同様の構造のロール表面から突出及び後退可能な第２の出没子２６Ａを設けることもできる。
【００４２】
出没子２４（及び第２の出没子２６Ａ）はピストン構造をもち、図示しない油圧源（制御器も含む）と連結された油圧経路３０を通して出没子２４（及び第２の出没子２６Ａ）を出没させるようにしてある。
【００４３】
かかる例において、たとえば、図５のナプキン１及び図７のナプキン１Ａを同一のラインで製造する場合、出没子２４を図５のナプキン１のエンボス１２の形成用に使用し、図７のナプキン１Ａの製造時には、出没子２４を後退させて、エンボス用凸部２６、２６によってのみエンボス付与を行うことができる。
【００４４】
第２の出没子２６Ａをも設ける場合、図５のナプキン１及び図７のナプキン１Ａの製造に際し、本体部分のエンボス付与に使用することができる。
【００４５】
（第２の実施の形態）
図２及び図３は第２の実施の形態に係るエンボス付与ロール２０Ｂを示している。この例では、出没子２４Ａをカム機構によりロール表面から突出及び後退させるようにしてある。図示例のカム機構は、駆動手段３２により連結軸３３の中心周りに回転するようにした楕円カム３１であり、楕円カム３１の回転により、出没子２４Ａをロール表面から突出及び後退させるように構成したものである。
【００４６】
利用形態は第１の場合と同様である。
【００４７】
（第３の実施の形態）
図４は第３の実施の形態に係るエンボス付与ロール２０Ｃを示している。この例では、出没子２４Ｂをネジ機構によりロール表面から突出及び後退させるようにしてある。図示例のネジ機構は、出没子２４Ｂにネジ３４を螺合し、操作孔３５から適宜の手段により、ネジ３４を回転させ、本体部２２を座として、出没子２４Ｂを前後進させることで、出没子２４Ｂをロール表面から突出及び後退させるように構成したものである。
【００４８】
（第４の実施の形態）
図８及び図９は、第４の実施の形態に係るエンボス付与ロール２０Ｄを示している。この例では、出没子２４Ｂを長尺ネジ３４Ａによって反対側から回転操作させるようにしてある。また、図１０に示すように、出没子２４Ｂの後退限において、固定ネジ３４Ｂをジャーナル部を貫通するネジ孔２１Ｈに螺合させるとともに、その先端を出没子２４Ｂの側面の孔（固定ネジ３４Ｂに螺合するネジ山を有していても、またネジ山を有しない単なる孔でも良い）２４Ｈに挿入することよって、後退した出没子２４Ｂを固定するように構成している。図８に示すように、出没子２４Ｂを突出させた状態では固定ネジ３４Ｂを抜いておくのが望ましい。
【００４９】
（その他）
前記の実施の形態は、例示であり、エンボス用凸部の配置、出没子個数、出没子をロール表面から突出及び後退させる手段に限定はない。
【００５０】
エンボス用凸部に対する出没子の配置、あるいは一方の出没子に対する他方の出没子の配置を、隣接させることで、目的のエンボスラインに沿って分割配置形態を採ることができる。
【００５１】
エンボス用凸部又は出没子の平面形状は、直線状であっても曲線状であってもよい。また、先に触れたように、条溝などを形成するために、長さ方向に高圧搾部（高密度部）と低圧搾部（低密度部）とが交互に現れるように、表面の長手方向の側面視で凹凸を形成してもよい。
【００５２】
複数の出没子を設ける場合、出没子を独立してロール表面から突出及び後退させる手段としては、周知技術によって適宜選択できる事項であるから、説明を省略する。
【図面の簡単な説明】
【００５３】
【図１】第１の実施の形態の説明図である。
【図２】第２の実施の形態の説明図である。
【図３】第２の実施の形態の出没子部分での横断面図である。
【図４】第３の実施の形態の説明図である。
【図５】第１のナプキンの平面図である。
【図６】６−６線矢視図である。
【図７】第２のナプキンの平面図である。
【図８】第４の実施の形態の説明図である。
【図９】第４の実施の形態の出没子部分での横断面図である。
【図１０】第４の実施の形態の説明図である。
【符号の説明】
【００５４】
１、１Ａ…生理用ナプキン、Ｗ…ウイング状張り出し部、８…サイド条溝、９Ｆ…第１の条溝、９Ｂ…第２の条溝、１０Ｆ，１０Ｂ…エンド条溝、２０Ａ、２０Ｂ、２０Ｃ…エンボス付与ロール、２４、２４Ａ、２４Ｂ…出没子、２６…エンボス用凸部、２６Ａ…第２の出没子、３０…油圧経路、３１…楕円カム、３２…駆動手段、３３…連結軸、３４…ネジ、３４Ａ…長尺ネジ、３４Ｂ…規制ネジ、３５…操作孔。
【図１】
0004814632.tif 000002
【図２】
0004814632.tif 000003
【図３】
0004814632.tif 000004
【図４】
0004814632.tif 000005
【図５】
0004814632.tif 000006
【図６】
0004814632.tif 000007
【図７】
0004814632.tif 000008
【図８】
0004814632.tif 000009
【図９】
0004814632.tif 000010
【図１０】
0004814632.tif 000011